(57)【要約】      （修正有）【課題】クリップボードと台座（スタンド）を一体化して、データホルダーとしての利用やイーゼルとしての活用ができるクリップボードプラスを提供する。【解決手段】硬質素材を使用した傾斜面の上部にクリップ２を取り付けた本体１１とＬ型に一体化した台座部（スタンド）１３を特徴とし、また、硬質素材や合成樹脂素材を使用して台座部と折り畳む機能で連結した傾斜面の上部にクリップを取り付けた本体を特徴とする。【選択図】図１
0003191961.tif 000002
【実用新案登録請求の範囲】
【請求項１】
硬質素材や合成樹脂を使用した傾斜面の上部にクリップを取り付けた本体とＬ型に一体化した台座部（スタンド）を特徴とするクリップボードプラス。
【請求項２】
硬質素材や合成樹脂を使用して台座部と折り畳む機能で連結した傾斜面の上部にクリップを取り付けた本体を特徴とするクリップボードプラス。
【請求項３】
硬質素材や合成樹脂を使用した傾斜面の上部にクリップを取り付けた本体を立てて使用するために人型の補助スタンド（台座）を特徴とするクリップボードプラス。
【考案の詳細な説明】
【技術分野】
【０００１】
本考案は、クリップボードと台座（スタンド）を一体化して、データホルダーとしての利用やイーゼルとしての活用に関する。
【背景技術】
【０００２】
従来、クリップボードは工場や試験室などの作業中に机がない場所で必要なデータや内容を書き留めることを目的としたケースや旅先や学校で、風景画のデッサン時に画板として活用している。また、回覧物の背当て板として回覧板は、人々になじみのあるものである。
【考案の概要】
【考案が解決しようとする課題】
【０００３】
従来、クリップボードは、机がない場所でも下敷きの機能も伴って用紙に、記録として残す内容を書き留める目的や風景画等のデッサンの美術分野で活用されている。
【０００４】
クリップボードを使用して長時間、データや内容を書き留める時、お腹にクリップボードを押し当てて利用することからお腹に負荷がかかり、不快感やストレスを感じながら使用している。
【０００５】
また、パソコンの普及によりクリップボードを使用して集めた工場や試験室のデータを入力する場合は、データ用紙をクリップボードから取り外し、机の上に置いて見ながら入力する方法とクリップボードに付けたまま何かに立て掛けて入力すると云った対処で不便を感じていた。
【０００６】
また、クリップボードにスタンドが付いたことで必要な情報を必要な時に付けたり、取り外すことが簡単に出来ることでお料理のときのレシピスタンドとして、一時的なメモや領収書、チケットなどたくさん挟むことも出来る保管場所としての活用出来る。
【０００７】
外でのデッサンにおいては、室内で飾る場合、クリップボードから取り外して額縁に入れて飾るケースと写真立てのようなものを利用して飾る方法で、やはりクリップボードから外さなければならなかった。
【０００８】
前記したとおり、クリップボードを長時間使用する場合にお腹に不快感やストレスを感じたり、クリップボード使用後のデータ書類や内容物を次の目的に応じていちいち取り外さなければ行けないという非効率的な問題点があった。
【０００９】
本考案は、前記した問題点に鑑みて、クリップボードに台座（スタンド）を一体化したクリップボードプラスは、直接お腹にあたる箇所に台座（スタンド）を一体化しているため従来の線で当たるところをスタンドの面で捉えることでお腹への負荷が和らげられて不快感やストレスを軽減することが出来、またクリップボード使用後の内容物の取り外しもスタンドと一体化したクリップボードプラスならパソコンへの入力時やデッサンを飾る時にそのままデータホルダーやイーゼルとして提供することを目的とする。
【課題を解決するための手段】
【００１０】
前記目的を達成するために、本考案にかかるクリップボードプラスは、硬質素材を使用して、上部にクリップを配置した本体と一体化した台座部を有するL型構造とする。
【００１１】
上記説明のＬ型構造のクリップボードプラスは、安定性を保つために傾斜させた本体と、本体を支える台座部の構造とする。
【００１２】
クリップボードプラスは、標準縦型を横にしても利用出来るように台座部の側面を内側に窄めるデザインとし、横にしても立つ構造とする。
【００１３】
また、台座部の長さを適度にして、本体のクリップ位置より上に穴を設けて壁に掛けることも出来る構造とする。
【００１４】
また、本体と台座部を蝶番のような折り畳み式構造とすることも出来る。
【００１５】
本考案に使用する素材は、金属やプラスチック素材に関わらず、他の素材でも製作可能である。
【００１６】
また、台座の裏に滑り止め用ゴムなどを使用してより安定した構造も好ましい。
【００１７】
本考案のクリップボードプラスは、着色やプリントなどでカラー展開することやマグネットが付く素材を採用してより広い機能性を持たせることも出来る。
【考案の効果】
【００１８】
本願考案のクリップボードプラスは、台座を設けただけの軽量かつシンプルな構造でありながら、従来のクリップボード使用時のお腹への不快感やストレスを軽減してくれる。またクリップボードを使用して書き留めたデータや内容物をその次の作業に移るたびに、いちいち外さなければならないという効率の悪さを解消してくれる。
【００１９】
また、家庭では、メモやレシピと云った情報もクリップに挟んで保管利用したり、趣味のデッサンなども画板とスタンドの二つの機能で、そのまま自宅で飾れるイーゼルとして、子供の写真や絵日記などもクリップボードプラスに挟んで飾れるアットホームな利用など今までにない楽しい使い方が出来る。
【図面の簡単な説明】
【００２０】
【図１】本考案のクリップボードプラスの縦置きの斜視図である。
【図２】前記クリップボードプラスの横置きの斜視図である。
【図３】前記クリップボードプラスの正面図である。
【図４】前記クリップボードプラスの背面図である。
【図５】前記クリップボードプラスの平面図である。
【図６】前記クリップボードプラスの底面図である。
【図７】前記クリップボードプラスの側面図である。
【図８】前記クリップボードプラスの実施の状態の斜視図である。
【考案を実施するための形態】
【００２１】
以下に、図面を参照しながら本考案の実施形態について詳細に説明する。
【００２２】
図１は、本考案のクリップボードプラスの縦置きの斜視図である。硬質素材を使用して台座部１３と台座部からＬ型に立ち上がる本体１１の上部中央にクリップ２を取り付け、その上に壁掛け用穴１２を設ける。本体１１は、安定性と見やすさを確保するため、傾斜させて後方へ重心を置く。
【００２３】
また、図１の台座部１３の裏面には、滑り止め用合成ゴム４を貼ってより安定性を保つことが好ましい。
【００２４】
図２は、本考案のクリップボードプラスの横置きの斜視図である。横置きを可能にするために台座部１３の両側面１４を図４もしくは図６の１４で示すように内側へ窄める設計にすることで横置き時の本体を傾斜させ、接地する方の台座１３の側面１４が受けるという形態である。
【００２５】
図３は、前記クリップボードプラスの正面図である。本体１１の上部中央にクリップ２を取り付けて、その上に壁掛け用穴１２を設ける。また、本体上部の角は、手に触れるところなので丸くして安心出来る形にすることが望ましい。
【００２６】
図４は、前記クリップボードプラスの背面図である。本体１１上部の二つの丸い形状２１は、クリップ２を固定６するためのカシメである。台座部１３の左右側面１４は、（００２４）の横置きを目的として窄めた形状を表している。
【００２７】
図５は、前記クリップボードプラスの平面図である。本体１１より後方へ出ている台座部１３が傾斜している本体１１の縦置き時の重心を支えることを示している。
【００２８】
図６は、前記クリップボードプラスの底面図である。台座部１３の左右側面１４は、（００２４）で説明した横置きに関する内側へ窄める設計を示している。
【００２９】
図７は、前記プリップボードプラスの側面図である。本考案のクロップボードプラスの台座１３から前倒れを防ぐために後方へ傾斜させた本体１１の状態を示す。
接地する台座面の裏には滑り止め用ゴム４を貼っている。また、クリップ２は、本体１１の上部に固定している。
【００３０】
図８は、前記クリップボードプラスの使用状態を示す斜視図である。本体１１の上部に固定しているクリップ２に用紙３（データ用紙やレシピ、画用紙など）を挟んで机や下敷きの代わりに使用して書留、そのままスタンド（台座部１３）を活かして次の作業へスムーズに移ることが出来たり、デッサンや写真など飾ることも出来る。
【産業上の利用可能性】
【００３１】
前記したようにクリップボードプラスは、従来のクリップボードにスタンド（台座）をつけただけでクリップボードの利便性を大きく広げてくれます。クリップボードを使用して書いたメモやデータ、似顔絵や風景画などのデッサンをそのままスタンドがあることでデータホルダーとしてパソコンへ入力する、イーゼルとして飾ることが出来るなどスムーズに普通に楽しい機能を提供します。
【００３２】
また、クリップボードプラスは、長時間の使用でお腹に当たるときの不快感やストレスを和らげてくれる、そんな役目がこの台座（スタンド）にはあります。従来のクリップボードでは、お腹に当たる部分が線であり、それが押し付けられるのに対し、台座（スタンド）の裏面がお腹に当たる、いわゆる面ですからメモを書留める時のクリップボードを押さえる負荷を面全体で受け止めてくれます。しかも従来のクリップボードの素材が紙製で壊れやすく、買い替えを余儀なくされることに比べ硬質素材のクリップボードプラスは、耐久性にすぐれ長く使えることも利点です。つまり資源の保護という観点からも現代の地球環境保護に沿った商品と呼べるのではないでしょうか。
【符号の説明】
【００３３】
１  クリップボードプラス
２  クリップ
３  用紙
４  滑り止め用ゴム
１１本体
１２壁掛け用穴
１３台座部（スタンド）
１４横置き用傾斜線
【図１】
0003191961.tif 000003
【図２】
0003191961.tif 000004
【図３】
0003191961.tif 000005
【図４】
0003191961.tif 000006
【図５】
0003191961.tif 000007
【図６】
0003191961.tif 000008
【図７】
0003191961.tif 000009
【図８】
0003191961.tif 000010
【手続補正書】
【提出日】平成26年5月13日(2014.5.13)
【手続補正２】
【補正対象書類名】実用新案登録請求の範囲
【補正対象項目名】全文
【補正方法】変更
【補正の内容】
【実用新案登録請求の範囲】
【請求項１】
硬質素材を使用した傾斜面の上部にクリップを取り付けた本体とＬ型に一体化した台座部（スタンド）を特徴とするクリップボードプラス。
【請求項２】
硬質素材や合成樹脂素材を使用して台座部と折り畳む機能で連結した傾斜面の上部にクリップを取り付けた本体を特徴とするクリップボードプラス。